(57)【要約】【課題】  幼児又はペットが所定区域の居場所から外方に離れることを防止するために用いられるベビーゲートのロック装置を提供する。【解決手段】  ベビーゲート７１の上端部に設けられる中空の円柱体であり、一端にリング状の接触部１２が設けられるロック座１０と、前記ロック座１０の接触部１２に設けられ、一端の中央に貫通しない凹溝２１が形成される回転ロック部材２０と、前記回転ロック部材２０に対してフレーム７２に設けられ、前記回転ロック部材２０の凹溝２１に挿入可能な係合部５０と、を備えることを特徴とする。【選択図】  図６
0003118084.tif 000002
【実用新案登録請求の範囲】
【請求項１】
ベビーゲートの上端部に配設された中空の円柱体からなり、一端にリング状の接触部が設けられたロック座と、
前記ロック座の接触部に配設され、一端の中央に貫通しない凹溝が形成された回転ロック部材と、
前記回転ロック部材に対応するフレームに設けられ、前記回転ロック部材の凹溝に対し挿入可能な係合部と、
を備えることを特徴とするベビーゲートのロック装置。
【請求項２】
前記回転ロック部材における凹溝の下部には、軸方向に伸びる貫通孔と該孔の下部に傾斜面が形成されると共に、軸方向の外周面には開口が形成されてなり、
前記開口には、中空の円筒状の係合部材が配設され、該係合部材の上部外周には、前記開口から外側へ突出する操作ボタンが設けられてなり、前記係合部材の一端は前記貫通孔に挿入され、前記凹溝と傾斜面の間にはブロックが位置されてなり、
前記ロック座の接触部の外側には、外側へ伸びる係止ブロックが設けられ、前記係止ブロックは前記回転ロック部材の他端に設けた係止部に係止されるようになっていることを特徴とする請求項１に記載のベビーゲートのロック装置。
【請求項３】
前記ロック座の接触部の内側には、スライド部が形成されており、前記回転ロック部材の内部にはスプリングを配設した組立パイプが形成されており、該組立パイプの内部には前記ロック座のスライド部と対応するスライド部が形成されており、
前記接触部を有するロック座の一端の中央に接触部から外側へ伸びる複数の突出ブロックが設けられており、
前記係合部は、前記回転ロック部材の凹溝に挿入可能な係合柱と、該係合柱に設けられるスプリングを含み、
前記ロック座と回転ロック部材は、スプリングを配設したねじによって螺合されると共に、該ロック座とベビーゲートはねじによって螺合固着されるようになっていることを特徴とする請求項２に記載のベビーゲートのロック装置。
【考案の詳細な説明】
【技術分野】
【０００１】
本考案は、特に幼児又はペットが所定区域の居場所から離れることを防止するために用いられるベビーゲートのロック装置に関するものである。
【背景技術】
【０００２】
幼児を２階で遊ばせている場合などでは、階段の手前にベビーゲートを設置することにより、幼児が不注意によって階段から転落することを防止することが知られている。
しかし、従来のベビーゲートは安全性が完全でなく、子供が遊んでいる時にベビーゲートが図らずも開いてしまうこともあり、子供が階段の上から下に転落したりすると、大変な事故になる恐れがある。故に、一般の場合には、ベビーゲートに簡単な係合機構が設けられている。
【考案の開示】
【考案が解決しようとする課題】
【０００３】
しかしながら、従来のベビーゲートにおける係合機構は、子供の遊んでいる時やいたずらにより簡単に係合状態が解除してしまう構成なので、安全性に欠けているという問題があった。
そこで、案出されたのが本考案であって、幼児又はペットが所定区域の居場所から離れることを防止するために用いられるベビーゲートのロック装置を提供することを目的としている。
【課題を解決するための手段】
【０００４】
本願考案のベビーゲートのロック装置に係る請求項１は、ベビーゲートの上端部に配設された中空の円柱体からなり、一端にリング状の接触部が設けられたロック座と、前記ロック座の接触部に配設され、一端の中央に貫通しない凹溝が形成された回転ロック部材と、前記回転ロック部材に対応するフレームに設けられ、前記回転ロック部材の凹溝に対し挿入可能な係合部と、を備えることを特徴とする。
【０００５】
本願の請求項２の考案は、請求項１に記載のベビーゲートのロック装置において、前記回転ロック部材における凹溝の下部には、軸方向に伸びる貫通孔と該孔の下部に傾斜面が形成されると共に、軸方向の外周面には開口が形成されてなり、前記開口には、中空の円筒状の係合部材が配設され、該係合部材の上部外周には、前記開口から外側へ突出する操作ボタンが設けられてなり、前記係合部材の一端は前記貫通孔に挿入され、前記凹溝と傾斜面の間にはブロックが位置されてなり、前記ロック座の接触部の外側には、外側へ伸びる係止ブロックが設けられ、前記係止ブロックは前記回転ロック部材の他端に設けた係止部に係止されるようになっていることを特徴とする。
【０００６】
本願の請求項３の考案は、請求項２に記載のベビーゲートのロック装置において、前記ロック座の接触部の内側には、スライド部が形成されており、前記回転ロック部材の内部にはスプリングを配設した組立パイプが形成されており、該組立パイプの内部には前記ロック座のスライド部と対応するスライド部が形成されており、前記接触部を有するロック座の一端の中央に接触部から外側へ伸びる複数の突出ブロックが設けられており、前記係合部は、前記回転ロック部材の凹溝に挿入可能な係合柱と、該係合柱に設けられるスプリングを含み、前記ロック座と回転ロック部材は、スプリングを配設したねじによって螺合されると共に、該ロック座とベビーゲートはねじによって螺合固着されるようになっていることを特徴とする。
【考案の効果】
【０００７】
本考案は上記の課題を解決するものであり、ベビーゲートにフレームと係脱自由な回転ロック部材が設けられることにより、ベビーゲートをロックすることにより、赤ちゃん又は子供によってベビーゲートを簡単に開けることができないようにしたので、使用上の安全性を向上することができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【０００９】
図１は、本考案に係るベビーゲートのロック装置の使用状態を示す実施例を示す正面図であり、図２は本考案に係るベビーゲートのロック装置の一部斜視図であり、図３は本考案に係るベビーゲートのロック装置の一端から見る分解斜視図であり、図４は本考案に係るベビーゲートのロック装置の他端から見る分解斜視図であり、図５は本考案に係るベビーゲートのロック装置におけるロック座の斜視図であり、図６は本考案に係るベビーゲートのロック装置の使用状態を示す断面図であり、図７は本考案に係るベビーゲートのロック装置の一端から見る使用状態を示す側面図であり、図８は本考案に係るベビーゲートのロック装置の他端から見る使用状態を示す側面図であり、図９は本考案に係るベビーゲートのロック装置の使用状態を示す正面図であり、図１０は図９の一部断面図である。
【００１０】
図１に示すように、本考案に係るベビーゲートのロック装置は、赤ちゃん又は子供が所定区域の居場所から離れることを防止するために用いられるもので、一対のフレーム間に枢設されるベビーゲートに使用される。
【００１１】
又、図２乃至図６に示すように、本考案に係るベビーゲートのロック装置は、以下のように構成される。
ベビーゲート７１の上端部に配設される中空の円柱体からなり、一端にリング状の接触部１２が設けられると共に、該接触部１２の外周側へ伸びる係止ブロック１４が設けられ、同端の中央に接触部１２から外側へ伸びる複数の突出ブロック１３が設けられ、該接触部１２の内にスライド部１５（図５参照）が形成されるロック座１０と、前記ロック座１０の接触部１２に設けられ、一端の中央に貫通しない凹溝２１が形成されると共に、他端に係止部２９が設けられ、該凹溝２１の下部には貫通孔２６が形成されるとともに、該孔２６の下部には傾斜面２２が形成され、更に上部外周側には開口２４が形成されると共に、該開口２４の対向側にプレート２５が設けられ、内部に組立パイプ２７（図４参照）が形成される。
該組立パイプ２７の内部には前記ロック座１０のスライド部１５と対応するスライド部２８が形成された回転ロック部材２０と、前記回転ロック部材２０の組立パイプ２７に設けられ、前記開口２４から外側へ突出して伸びる操作ボタン３１が設けられる。
また、一端が前記孔２６に挿入されると共に、前記凹溝２１と傾斜面２２の間に位置するブロック３２が設けられた係合部材３０と、夫々前記ロック座１０を貫通して回転ロック部材２０と螺合されるねじ６１と、該ロック座１０をベビーゲート７１に固定するねじ６２と、夫々組立パイプ２７とねじ６１に設けられる二つのスプリング４０，４１と、前記回転ロック部材２０に対応してフレーム７２に設けられて、前記回転ロック部材２０の凹溝２１に挿入可能と成っている係合柱５１と、該係合柱５１に設けられるスプリング５２を含む係合部５０とを備える。
【００１２】
図６ないし図８を参照して説明すると、幼児の保護者など使用者がベビーゲート７１を開閉する場合、まず、係合部材３０の操作ボタン３１をスプリング４０に抗して押圧しながら図面の右側へ移動させることで、係合部材３０の下端部に一体形成されたブロック３２を回転ロック部材２０の内側へと移動させると、係合柱５１との係合状態が解消される。
この状態で、ベビーゲート７１を上方へ持ち上げると、係合柱５１が傾斜面２２と接触してその傾斜に沿って移動させられることで該係合柱５１に設けられたスプリング５２が押圧され、係合柱５１が係合部５０の内部後方（図面左側）へ押し付けられて、ついには傾斜面２２との係合から外れ、ゲートが開く状態になる。
【００１３】
その後、ベビーゲート７１を元の位置に戻してゲートを閉めるときに、上述したゲートを開けるときと同じように、まず係合部材３０の操作ボタン３１をスプリング４０に抗して押圧しながら図面の右側へ移動させることで、係合部材３０のブロック３２を回転ロック部材２０の内側へと移動させ、開錠状態にしておいて、ベビーゲート７１を押し下げると、係合柱５１が傾斜面２２に接触して該斜面に沿って凹溝２１へと移動して、凹溝２１内に位置決めされるようになる。
【００１４】
こうしてから、前記操作ボタン３１を放すことにより、前記係合部材３０がスプリング４０の付勢力によって図面の左側へ戻る。このとき、係合部材３０の下端部のブロック３２が孔２６に嵌合して（図２）、凹溝２１と傾斜面２２の間に位置されることにより、ブロック３２が係合柱５１の移動を阻止するようになり、斜面２２と接触することがなくなる。
【００１５】
そして更に、回転ロック部材２０の底部プレート２５を操作して回転ロック部材２０全体を９０度回転させると、回転ロック部材２０のスライド部２８とロック座１０のスライド部１５によって係合柱５１が緊縛され、係合部材３０がロック座１０の突出ブロック１３によって係止され、操作ボタン３１の位置が移動されない状態になり、係合柱５１も凹溝２１から離脱できなくなるので、ベビーゲート７１の開閉が不可能になると同時に、このように回転ロック部材２０を回転９０度外側へ回転させることで、係合部材３０の操作ボタン３１も子供の手が届かないように外側へ位置付けられることになり、ふとしたはずみで開錠されて、事故につながる、といったようなことが防止される。
また、ロック座１０の係止ブロック１４は回転ロック部材２０の係止部２９内に位置付けられているので、回転ロック座２０を角度９０度以上回わすことはできないようになっている。
【００１６】
また、図７及び図８に示すように、ベビーゲート７１を開ける場合、前記回転ロック座２０を９０度逆回転させ、傾斜面２２が孔２６の下部に位置するように戻し、操作ボタン３１を再び移動可能してから、操作ボタンを内方へ移動してブロック３２を回転ロック座２０の内部に移動し、ベビーゲート７１を上方へ持ち上げて、係合柱５１を凹溝２１から脱出させることにより、ベビーゲート７１を開けることができるようになる。
【産業上の利用可能性】
【００１７】
本考案は上記の構成を有し、ベビーゲートにフレームと係脱自由な回転ロック部材を設けることによりベビーゲートをロックしてしまうことで、赤ちゃんや子供がベビーゲートを簡単に開けることができなくなるので、使用上の安全性を向上することができる。
【図面の簡単な説明】
【００１８】
【図１】本考案に係るベビーゲートのロック装置の使用状態を示す実施例を示す正面図である。
【図２】本考案に係るベビーゲートのロック装置の一部斜視図である。
【図３】本考案に係るベビーゲートのロック装置の一端から見る分解斜視図である。
【図４】本考案に係るベビーゲートのロック装置の他端から見る分解斜視図である。
【図５】本考案に係るベビーゲートのロック装置におけるロック座の斜視図である。
【図６】本考案に係るベビーゲートのロック装置の使用状態を示す断面図である。
【図７】本考案に係るベビーゲートのロック装置の一端から見る使用状態を示す側面図である。
【図８】本考案に係るベビーゲートのロック装置の他端から見る使用状態を示す側面図である。
【図９】本考案に係るベビーゲートのロック装置の使用状態を示す正面図である。
【図１０】図９の一部断面図である。
【符号の説明】
【００１９】
１０        ロック座
１２        接触部
１３        突出ブロック
１４        係止合ブロック
１５        スライド部
２０        回転ロック部材
２１        凹溝
２２        傾斜面
２４        開口
２５        プレート
２６        貫通孔
２７        組立パイプ
２８        スライド部
２９        係止部
３０        係合部材
３１        操作ボタン
３２        ブロック
４０        スプリング
４１        スプリング
５０        係合部
５１        係合柱
５２        スプリング
６１        ねじ
６２        ねじ
７１        ベビーゲート
７２        フレーム
【図１】
0003118084.tif 000003
【図２】
0003118084.tif 000004
【図３】
0003118084.tif 000005
【図４】
0003118084.tif 000006
【図５】
0003118084.tif 000007
【図６】
0003118084.tif 000008
【図７】
0003118084.tif 000009
【図８】
0003118084.tif 000010
【図９】
0003118084.tif 000011
【図１０】
0003118084.tif 000012